(57)【要約】【課題】保温性及び柔軟性に優れ、家庭で洗濯することができる掛布団用綿体を提供する。【解決手段】掛布団用綿体１は、ポリエステル綿とバインダー綿とを混綿及び成形して形成された第１層１１及び第２層１２とを備える。第１層１１の密度は、第２層１２の密度よりも低い。第１層１１と第２層１２との境界には、熱融着によって熱融着層１３が形成されている。【選択図】図１
2019118361.tif 000002
【特許請求の範囲】
【請求項１】
化学繊維綿とバインダー綿とからなる第１層、及び、化学繊維綿とバインダー綿とからなり、前記第１層上に配置された第２層とを備え、
前記第１層の密度は、前記第２層の密度よりも低く、
前記第１層の前記第２層側の表面部分と前記第２層の前記第１層側の表面部分との間に、熱融着層が形成されていることを特徴とする掛布団用綿体。
【請求項２】
請求項１に記載の掛布団用綿体において、
前記第１層及び前記第２層の少なくとも一方は、前記化学繊維綿と前記バインダー綿とからなり、融着層を介して積層された複数のシートにより構成されていることを特徴とする掛布団用綿体。
【請求項３】
請求項１又は請求項２に記載の掛布団用綿体において、
前記第１層及び前記第２層の少なくとも一方は、前記バインダー綿を１０質量％〜３０質量％含むことを特徴とする掛布団用綿体。
【請求項４】
請求項１〜請求項３のいずれか１項に記載の掛布団用綿体において、
前記第２層の密度は、前記第１層の密度の２倍以下であることを特徴とする掛布団用綿体。
【請求項５】
請求項１〜請求項４のいずれか１項に記載の掛布団用綿体と、前記掛布団用綿体を収容する袋体とを備え、
前記袋体の周縁部にキルティング加工が施されていることを特徴とする掛布団。
【発明の詳細な説明】
【技術分野】
【０００１】
本発明は、家庭で洗濯が可能な掛布団に用いられる掛布団用綿体及びそれを用いた掛布団に関する。
【背景技術】
【０００２】
従来、家庭で洗濯が可能な掛布団が提案されている。この種の掛布団は、袋体の内部に綿体を詰め込んで構成される。その綿体としては、断面形状又は材料の異なる複数種類の化学繊維を混綿して形成されたものが知られている（例えば、特許文献１参照）。
【０００３】
ところで、特許文献１に記載のような従来の綿体は、掛布団として要求される性能（例えば、柔軟性、保温性等）を十分に確保するために、空気を多量に含んだ柔らかい一様な綿として構成されている。そのため、家庭内で家庭用洗濯機等によって洗濯した際には、綿体が千切れたり変形したりしてしまい、掛布団の袋体の内部で綿体の偏りが生じてしまう。
【０００４】
そこで、従来の綿体を袋体に詰め込んで掛布団を製造する際には、一般的に、キルティング加工によって、袋体の中に綿体を収容する複数の部屋を形成し、綿体の移動をその部屋の内部に制限することによって、綿体の偏りを抑制している。
【先行技術文献】
【特許文献】
【０００５】
【特許文献１】特開２０１３−０２７４７０号公報
【発明の概要】
【発明が解決しようとする課題】
【０００６】
しかし、従来の掛布団のようにキルティング加工を施した場合であっても、キルティング加工で形成された部屋の内部における綿体の偏りを防ぐことはできない。
【０００７】
そして、そのような綿体の偏りの影響を低減する方法としては、キルティング加工を施す間隔を狭くして、綿体を収容する個々の部屋を狭くする方法が考えられる。
【０００８】
しかし、キルティング加工の施された部分には綿体が存在しないことになるので、その部分の柔軟性及び保温性が低くなる。そのため、綿体の偏りを防ぐためにキルティング加工を施す間隔を狭くしすぎると（すなわち、キルティング加工を施す量を増やしすぎると）、全体として掛布団としての性能が損なわれてしまうおそれがあった。
【０００９】
本発明は以上の点に鑑みてなされたものであり、保温性及び柔軟性に優れ、家庭で洗濯することができる掛布団用綿体及びそれを用いた掛布団を提供することを目的とする。
【課題を解決するための手段】
【００１０】
本発明の掛布団用綿体は、
化学繊維綿とバインダー綿とからなる第１層、及び、化学繊維綿とバインダー綿とからなり、前記第１層上に配置された第２層とを備え、
前記第１層の密度は、前記第２層の密度よりも低く、
前記第１層の前記第２層側の表面部分と前記第２層の前記第１層側の表面部分との間に、熱融着層が形成されていることを特徴とする。
【００１１】
ここで、「化学繊維綿」とは、ポリエステル、ナイロン、アクリル等の繊維のみによって形成された綿の他、それらの化学繊維にウール、コットン等の天然繊維に混綿させたものであってもよい。また、「バインダー綿」とは、綿体の製造過程において、溶融し接着剤として機能する成分を含む綿を指す。
【００１２】
このように、本発明の掛布団用綿体では、第１層の表面部分と第２層の表面部分との間に熱融着層が形成されている。その熱融着層は、その形成過程で溶融したバインダー繊維が化学繊維綿の隙間に入り込むことにより形成されているので、第１層及び第２層よりも、極めて高い密度を有するものとなっている。
【００１３】
これにより、熱融着層は、第１層及び第２層よりも極めて高い引き裂き強度を有するものとなっている。その結果、この掛布団用綿体では、引き裂くような力が加わった場合であっても、その熱融着層によって第１層及び第２層の形状が維持される。したがって、この掛布団用綿体を用いて掛布団を製造した場合には、その掛布団は、多量のキルティング加工を施さなくても、洗濯による綿体の偏りを防止することができるものとなる。
【００１４】
さらに、この掛布団用綿体では、下方側（すなわち、人が触れる側）に位置する低密度の第１層が柔軟層として良好な肌触り、空気を多量に含んだふんわりとした感触を担保するとともに、上方側に位置する高密度の第２層が断熱層として保温性を担保している。これにより、この掛布団用綿体は、従来の綿体に比べ、同程度の厚さ、重量であっても、高い柔軟性及び保温性を備えるものとなる。
【００１５】
また、本発明の掛布団用綿体においては、
前記第１層及び前記第２層の少なくとも一方は、前記化学繊維綿と前記バインダー綿とからなり、熱融着層を介して積層された複数のシートにより構成されていることが好ましい。
【００１６】
このように構成すると、複数のシートの間に存在する熱接着層によって、全体としての引き裂き強度をさらに高めることができる。また、このように構成すると、積層するシートの数を変えるだけで、第１層及び第２層の密度を容易に調整することができるので、製造も容易になる。
【００１７】
また、本発明の掛布団用綿体においては、
前記第１層及び前記第２層の少なくとも一方は、前記バインダー綿を１０質量％〜３０質量％含むことが好ましい。
【００１８】
このように構成すると、熱処理によって十分な厚さの熱融着層を構成しやすくなる。また、柔らかさと引き裂き強度のバランスを良好なものとすることができる。
【００１９】
また、本発明の掛布団用綿体においては、
前記第２層の密度は、前記第１層の密度の２倍以下であることが好ましい。
【００２０】
このように構成すると、柔軟性を担保するため第１層と保温性を担保するための第２層との重量バランスを適度なものになるので、密度の低い第２層をつぶれにくくすることができる。
【００２１】
また、本発明の掛布団は、
上記いずれかの掛布団用綿体と、前記掛布団用綿体を収容する袋体とを備え、
前記袋体の周縁部にキルティング加工が施されていることを特徴とする。
【００２２】
上記のように構成されている掛布団用綿体では、袋体の内部に綿体の偏りを防止するための部屋を形成するようなキルティング加工は不要となる。そのため、袋体と掛布団用綿体との相対的な位置を固定するためのキルティング加工のみを施せば、綿体の偏りは十分に防止することができる。
【００２３】
また、一般に、キルティング加工の施された部分には綿体が存在しないことになるので、その部分の柔軟性及び保温性が低くなる。しかし、本発明の掛布団では、キルティング加工は、周縁部に設けられているので、中央部分では、キルティング加工を施したことによる柔軟性及び保温性の低下は防止される。これにより、この掛布団は、従来の掛布団に比べ、十分な柔軟性と保温性を備える。
【図面の簡単な説明】
【００２４】
【図１】実施形態に係る掛布団用綿体の断面形状を示す模式図。
【図２】図１の掛布団用綿体の要部を拡大して示す断面図。
【図３】図１の掛布団用綿体を用いた掛布団の斜視図。
【発明を実施するための形態】
【００２５】
以下、図面を参照して、実施形態に係る掛布団用綿体１及びそれを用いた掛布団２について説明する。
【００２６】
図１に示すように、掛布団用綿体１は、第１層１１に重ねて配置された第２層１２と、第１層１１と第２層１２との間に形成された熱融着層１３とで構成されている。
【００２７】
図１の要部（一点鎖線で囲まれた領域）の拡大図である図２に示すように、第１層１１は、第１シート１１ａを多数積層することによって形成されている。第１シート１１ａは、ポリエステル綿に低融点バインダー綿を１０質量％〜３０質量％混綿した後、シート状に成形することによって形成されている。また、隣接する第１シート１１ａ同士の間には、第１接着層１１ｂが形成されている。
【００２８】
第２層１２も、第１層１１と同様に、第２シート１２ａを多数積層することによって形成されている。第２シート１２ａは、ポリエステル綿に低融点バインダー綿を１０質量％〜３０質量％混綿した後、シート状に成形することによって形成されている。また、隣接する第２シート１２ａ同士の間には、第２接着層１２ｂが形成されている。
【００２９】
ここで、本実施形態の掛布団用綿体１では、本発明における「化学繊維綿」としてポリエステル綿を用いているが、本発明における化学繊維綿は、ポリエステル綿に限定されるものではなく、ナイロン、アクリル等の繊維のみによって形成された綿の他、それらの化学繊維にウール、コットン等の天然繊維に混綿させたものであってもよい。
【００３０】
また、本発明における「バインダー綿」とは、綿体の製造過程において、溶融し接着剤として機能する成分を含む綿を指す。そのため、本発明におけるバインダー綿は、本実施形態のように低融点のバインダー綿に限定されるものではない。例えば、製造過程における加熱温度等に応じて、融点の高いバインダー綿を用いてもよい。
【００３１】
図１に示すように、第１層１１の厚さと第２層１２の厚さとは、ほぼ同程度の厚さとなっている。ただし、第１層１１を形成する第１シート１１ａは、第２層１２を形成する第２シート１２ａよりも厚く形成されている。そのため、第１層１１の密度は、第２層１２の密度よりも低くなっている。具体的には、第２層１２の密度は、第１層１１の密度の２倍程度となっている。
【００３２】
これにより、この掛布団用綿体１では、低密度の第１層１１が柔軟層として良好な肌触り、空気を多量に含んだふんわりとした感触を担保するとともに、高密度の第２層１２が断熱層として保温性を担保している。これにより、この掛布団用綿体１は、従来の綿体に比べ、同程度の厚さ、重量であっても、高い柔軟性及び保温性を備えるものとなっている。
【００３３】
熱融着層１３は、第１層１１と第２層１２とを積層した状態にした後、所定の熱処理を行って、第１層１１の第２層１２側の表面部分と第２層１２の第１層１１側の表面部分とを（すなわち、両者の境界を）熱融着させることによって形成されている。
【００３４】
すなわち、熱融着層１３は、その形成過程で溶融したバインダー繊維がポリエステル綿の隙間に入り込むことにより形成されているので、極めて高い密度を有している。そのため、熱融着層１３は、第１層１１及び第２層１２よりも、極めて高い引き裂き強度を有している。これにより、この掛布団用綿体１では、引き裂くような力が加わった場合であっても、その熱融着層１３によって第１層１１及び第２層１２の形状が維持される。
【００３５】
なお、本実施形態の掛布団用綿体１では、上記のように、第１層１１及び第２層１２を、第１シート１１ａ及び第２シート１２ａを多数積層することによって形成している。
【００３６】
そのため、熱融着層１３を形成する所定の熱処理を行うことにより、第１層１１と第２層１２との境界だけでなく、第１層１１を形成する第１シート１１ａ同士の境界、及び、第２層１２を形成する第２シート１２ａ同士の境界にも、薄い熱融着層である第１接着層１１ｂ及び第２接着層１２ｂが形成される（図２参照）。
【００３７】
そして、そのように形成された第１接着層１１ｂ及び第２接着層１２ｂも、比較的高い密度を有しており、比較的高い引き裂き強度を有している。すなわち、本実施形態の掛布団用綿体１では、第１層１１と第２層１２との境界に設けられた熱融着層１３、第１層１１中の第１接着層１１ｂ、及び、第２層１２中の第２接着層１２ｂとによって、極めて高い引き裂き強度が実現されている。
【００３８】
なお、本発明の掛布団用綿体はこのような構成に限定されるものではなく、第１層及び第２層は、必ずしも薄いシート状の綿を多数積層して形成する必要はない。例えば、柔軟性を担保するための第２層を１枚のシートで形成した場合には、第２層を多数の薄いシートを積層して形成した場合に比べ、引き裂き強度は低くなるが、柔軟性等を向上させることができる。
【００３９】
以上説明したように、本実施形態の掛布団用綿体１は、柔軟性を担保する第１層１１と保温性を担保する第２層１２との間に、熱処理によって熱融着層１３を形成することによって、極めて高い引き裂き強度を実現している。これにより、掛布団用綿体１そのものによって掛布団用綿体１の形状が維持される。
【００４０】
そのため、この掛布団用綿体１を用いて掛布団を形成した場合には、従来の掛布団のように、キルティング加工によって袋体の内部に綿体を収容するための複数の部屋を形成しなくても、洗濯による綿体の偏りを防止することができる。
【００４１】
例えば、図３に示す掛布団２のように、袋体２ａに掛布団用綿体１を収容した後、袋体２ａと掛布団用綿体１との相対位置を固定するための最低限のキルティング加工を施すだけで、十分に洗濯による綿体の偏りを防止することができる。
【００４２】
また、図示の例では、袋体２ａの周縁部にその周縁に沿ってキルト線２ｂが延びるようにキルティング加工を施しているだけであり、掛布団の中央部分にはキルティング加工が施されていない。すなわち、この掛布団２の中央部分には、綿体の存在しない領域がない。
【００４３】
ここで、一般に、キルティング加工が施された領域には、綿体が存在しないので、若しくは、その厚みが極端に圧縮されるので、その領域における保温性、柔軟性が低下してしまう。しかし、本実施形態の掛布団２には、全体としてキルティング加工が施される領域が少ないので、掛布団全体として、従来の掛布団よりも高い保温性、柔軟性が実現されている。
【００４４】
以上、図示の実施形態について説明したが、本発明はこのような形態に限られるものではない。
【００４５】
例えば、上記実施形態においては、掛布団用綿体１を形成するための材料として、ポリエステル綿に低融点バインダー繊維を１０質量％〜３０質量％加えた綿を用いている。これは、熱処理によって適度な厚さの熱融着層を形成しやすくするためである。
【００４６】
しかし、本発明の掛布団用綿体の材料はこのような構成に限定されるものではなく、熱処理を行った際に熱融着層が形成可能なものであればよい。例えば、熱融着層を厚めに形成したい場合には、バインダー繊維の割合をさらに増やした材料を用いてもよい。
【００４７】
また、上記実施形態においては、第２層１２の密度を第１層１１の密度の２倍程度としている。これは、柔軟性を担保するための第１層１１と保温性を担保するための第２層１２との重量バランスを適度なものとして、密度の低い第１層１１をつぶれにくくするためである。
【００４８】
しかし、本発明の掛布団用綿体はこのような構成に限定されるものではなく、柔軟性を担保する第１層の密度が、保温性を担保する第２層の密度よりも低く構成されていればよい。例えば、混綿する繊維の種類に応じて、適宜変更してよい。
【符号の説明】
【００４９】
１…掛布団用綿体、２…掛布団、２ａ…袋体、２ｂ…キルト線、１１…第１層、１１ａ…第１シート、１１ｂ…第１接着層、１２…第２層、１２ａ…第２シート、１２ｂ…第２接着層、１３…熱融着層。
【図１】
2019118361.tif 000003
【図２】
2019118361.tif 000004
【図３】
2019118361.tif 000005
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
掛布団用綿体と、前記掛布団用綿体を収容する袋体とを備え、
前記掛布団用綿体は、混綿された化学繊維綿とバインダー綿とからなる第１層、及び、混綿された化学繊維綿とバインダー綿とからなり、前記第１層上に配置された第２層を備え、前記第１層の密度は、前記第２層の密度よりも低く、前記第１層の前記第２層側の表面部分と前記第２層の前記第１層側の表面部分との間に、溶融した前記バインダー綿が前記化学繊維綿の隙間に入り込んで形成されている熱融着層が形成され、
前記袋体は、周縁部のみにキルティング加工が施され、
前記第１層及び前記第２層の少なくとも一方は、混綿された前記化学繊維綿と前記バインダー綿とからなり、溶融した前記バインダー綿が前記化学繊維綿の隙間に入り込んで形成されている接着層を介して積層された複数のシートにより構成されていることを特徴とする掛布団。
【請求項２】
請求項１に記載の掛布団において、
前記掛布団用綿体は、前記第１層及び前記第２層の少なくとも一方は、前記バインダー綿を１０質量％〜３０質量％含むことを特徴とする掛布団。
【請求項３】
請求項１又は請求項２に記載の掛布団において、
前記掛布団用綿体は、前記第２層の密度は、前記第１層の密度の２倍以下であることを特徴とする掛布団。
【手続補正３】
【補正対象書類名】明細書
【補正対象項目名】０００１
【補正方法】変更
【補正の内容】
【０００１】
本発明は、家庭で洗濯が可能な掛布団に関する。
【手続補正４】
【補正対象書類名】明細書
【補正対象項目名】０００９
【補正方法】変更
【補正の内容】
【０００９】
本発明は以上の点に鑑みてなされたものであり、保温性及び柔軟性に優れ、家庭で洗濯することができる掛布団を提供することを目的とする。
【手続補正５】
【補正対象書類名】明細書
【補正対象項目名】００１０
【補正方法】変更
【補正の内容】
【００１０】
本発明の掛布団は、
掛布団用綿体と、前記掛布団用綿体を収容する袋体とを備え、
前記掛布団用綿体は、混綿された化学繊維綿とバインダー綿とからなる第１層、及び、混綿された化学繊維綿とバインダー綿とからなり、前記第１層上に配置された第２層を備え、前記第１層の密度は、前記第２層の密度よりも低く、前記第１層の前記第２層側の表面部分と前記第２層の前記第１層側の表面部分との間に、溶融した前記バインダー綿が前記化学繊維綿の隙間に入り込んで形成されている熱融着層が形成され、
前記袋体は、周縁部のみにキルティング加工が施され、
前記第１層及び前記第２層の少なくとも一方は、混綿された前記化学繊維綿と前記バインダー綿とからなり、溶融した前記バインダー綿が前記化学繊維綿の隙間に入り込んで形成されている接着層を介して積層された複数のシートにより構成されていることを特徴とする。
【手続補正６】
【補正対象書類名】明細書
【補正対象項目名】００１５
【補正方法】変更
【補正の内容】
【００１５】
また、本発明の掛布団用綿体では、第１層及び第２層の少なくとも一方を、化学繊維綿とバインダー綿とからなり、接着層を介して積層された複数のシートにより構成している。
【手続補正７】
【補正対象書類名】明細書
【補正対象項目名】００１６
【補正方法】変更
【補正の内容】
【００１６】
このように構成すると、複数のシートの間に存在する接着層によって、全体としての引き裂き強度をさらに高めることができる。また、このように構成すると、積層するシートの数を変えるだけで、第１層及び第２層の密度を容易に調整することができるので、製造も容易になる。
そして、上記のように構成されている掛布団用綿体では、袋体の内部に綿体の偏りを防止するための部屋を形成するようなキルティング加工は不要となる。そのため、袋体と掛布団用綿体との相対的な位置を固定するためのキルティング加工のみを施せば、綿体の偏りは十分に防止することができる。
また、一般に、キルティング加工の施された部分には綿体が存在しないことになるので、その部分の柔軟性及び保温性が低くなる。しかし、本発明の掛布団では、キルティング加工は、周縁部に設けられているので、中央部分では、キルティング加工を施したことによる柔軟性及び保温性の低下は防止される。これにより、この掛布団は、従来の掛布団に比べ、十分な柔軟性と保温性を備える。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】